(57)【特許請求の範囲】
【請求項１】
トレー(1)と箱本体(2)とから成る段ボール箱であって、トレー(1)は、底面壁(11)の周囲各辺のうち、一方の対向する辺に側枠壁(12)を、他方の対向する辺に外端板(13)をそれぞれ連設し、側枠壁(12)の両側端に端折片(14)を連設したものとし、箱本体(2)は、天面壁(21)の周囲各辺のうち、一方の対向する辺に側面壁(22)を、他方の対向する辺に外端板(23)をそれぞれ連設し、側面壁(22)の両側端に内端板(24)を連設し、側面壁(22)の中間部に、切目線(25a)と折目線(25b)とに囲まれた押込片(25)を設けたものとし、
押込片(25)の側方に位置する接着部(26)で側面壁(22)の表面と側枠壁(12)の裏面とを貼り合わせて、押込片(25)の下部が側枠壁(12)で覆われ、揺動軸となる下端の折目線(25b)が側枠壁(12)の裏側へ隠れた状態となるようにトレー(1)と箱本体(2)とを固定し、その状態で、一方の底面壁(11)と側枠壁(12)の境界及び他方の天面壁(21)と側面壁(22)の境界に沿って折り畳んでおき、
商品包装時には、底面壁(11)から一対の側枠壁(12)を起立させ、天面壁(21)から一対の側面壁(22)を垂下させて、折畳状態から立体化し、内端板(24)及び端折片(14)を内側へ折り曲げて重ね合わせ、外端板(13,23)を上方及び下方へそれぞれ折り曲げ、トレー(1)の外端板(13)を端折片(14)に貼り付けて端枠壁(15)を形成し、箱本体(2)の外端板(23)を内端板(24)に貼り付けて端面壁(27)を形成し、側枠壁(12)及び端枠壁(15)に側面壁(22)及び端面壁(27)の下部がそれぞれ内接して、トレー(1)に箱本体(2)が嵌まり込んだ状態に組み立てるようにし、
商品展示時には、露出した押込片(25)の上部を切目線(25a)の破断に伴い押し込んで、押込片(25)を折目線(25b)を軸として内側へ揺動させ、側枠壁(12)を外側へ引っ張って撓ませ、接着部(26)での接着を剥がして、箱本体(2)をトレー(1)から上方へ引き抜くことを特徴とする包装展示兼用箱。
【発明の詳細な説明】
【技術分野】
【０００１】
この発明は、商品の輸送及び店頭での展示に兼用できる箱に関するものである。
【背景技術】
【０００２】
従来、下記特許文献１には、図９に示すように、底面壁５３の周囲に各一対の側枠壁５４及び端枠壁５５が起立するトレー５１と、天面壁５６の周囲に各一対の側面壁５７及び端面壁５８が垂下する箱本体５２とから成る包装展示兼用箱が記載されている。
【０００３】
この包装展示兼用箱では、商品を包装する際、側枠壁５４及び端枠壁５８に、側面壁５７及び端面壁５８の下部をそれぞれ内接させ、側枠壁５４の中間部上端に切目を入れて設けた貼着片５９の部分で、トレー５１と箱本体５２とを接着して固定する。
【０００４】
そして、商品展示時には、箱の一端面を切り取って開口させ、その開口面とは反対側へトレー５１を引っ張って、貼着片５９の切目線を破断させることにより、トレー５１と箱本体５２とを分離させる。
【先行技術文献】
【特許文献】
【０００５】
【特許文献１】特許４４５４１５８号公報
【発明の概要】
【発明が解決しようとする課題】
【０００６】
しかしながら、上記のような包装展示兼用箱では、包装状態において、トレーと箱本体の接着部位が限定され、十分な包装強度が得られない場合がある。
【０００７】
また、商品展示に際し、トレーの引っ張りにより切目線を破断させるために、大きな力を要するという問題がある。
【０００８】
そこで、この発明は、輸送時の包装強度を確保しつつ、店頭での展示作業を簡単に行なうことができるようにすることを課題とする。
【課題を解決するための手段】
【０００９】
上記のような課題を解決するため、この発明は、底面壁の周囲に側枠壁及び端枠壁が起立するトレーと、天面壁の周囲に側面壁及び端面壁が垂下する箱本体とから成り、側枠壁及び端枠壁に側面壁及び端面壁の下部をそれぞれ内接させて、トレーに箱本体を嵌めた包装展示兼用箱において、側面壁の中間部に、側枠壁の上端より上方及び下方へ亘る押込片を切込により設け、押込片の側方に位置する接着部で側面壁と側枠壁とを貼り合わせて、トレーと箱本体とを固定し、商品展示時には、押込片の上部を押し込み、側枠壁を外側へ引っ張って撓ませ、接着部での接着を剥がして、箱本体をトレーから上方へ引き抜くようにしたのである。
【発明の効果】
【００１０】
この発明に係る包装展示兼用箱では、押込片の側方に位置する接着部で側面壁と側枠壁とを貼り合わせるので、トレーと箱本体とをバランスよく接着し、輸送時の包装強度を確保することができる。また、側枠壁に覆われることなく露出している押込片の上部を押し込んで、側枠壁を外側へ撓ませるだけで、トレーと箱本体とを簡単に分離して、商品を展示することができる。
【図面の簡単な説明】
【００１１】
【図１】この発明の実施形態に係る包装展示兼用箱のブランクを示す図
【図２】同上のトレーと箱本体の接合過程を示す斜視図
【図３】同上のトレーと箱本体の接合後の折畳状態を示す斜視図
【図４】同上の製箱過程を示す斜視図
【図５】同上の製箱した包装状態を示す斜視図
【図６】同上のトレーと箱本体の接着部を剥がす過程を示す斜視図
【図７】同上のトレーと箱本体との分離過程を示す斜視図
【図８】同上の残存したトレーによる展示状態を示す斜視図
【図９】従来の包装展示兼用箱の包装状態を示す斜視図
【発明を実施するための形態】
【００１２】
以下、この発明の実施形態を添付図面に基づいて説明する。
【００１３】
この包装展示兼用箱は、図１に示すような段ボールシートを材料とするトレー１と箱本体２のブランクから形成される。
【００１４】
トレー１のブランクでは、長方形の底面壁１１の周囲各辺のうち、一対の長辺に側枠壁１２が、一対の短辺に外端板１３がそれぞれ連設され、側枠壁１２の両側端には端折片１４が連設されている。
【００１５】
箱本体２のブランクでは、長方形の天面壁２１の周囲各辺のうち、一対の長辺に側面壁２２が、一対の短辺に外端板２３がそれぞれ連設され、側面壁２２の両側端には、内端板２４が連設されている。
【００１６】
側面壁２２の中間部には、組立時に上方が湾曲部となる逆Ｕ字状の切目線２５ａとその両端を結ぶ折目線２５ｂとに囲まれた押込片２５が設けられ、切目線２５ａは、複数の繋部を有するものとされている。
【００１７】
箱本体２の組立時に下部となる図示斜線部分は、トレー１が重なる部分であり、その重合部分の上端は、押込片２５の高さ方向の中間部を横切っている。
【００１８】
側面壁２２における押込片２５の両側方には、トレー１と箱本体２とを固定する際、ホットメルト接着剤を塗布する点状接着部２６が位置している。
【００１９】
ここで、トレー１と箱本体２のブランクにおいて、底面壁１１の各辺の寸法は、天面壁２１の対応する各辺の寸法よりもほぼ段ボールの厚さ分だけ大きくなっており、その周囲の部分にも寸法差が設けられている。
【００２０】
また、この図において、トレー１の段目方向は、縦方向に向けられ、箱本体２の段目方向は、横方向へ向けられている。
【００２１】
上記のようなブランクから成る包装展示兼用箱では、製造に際し、図２に示すように、箱本体２の一方の側面壁２２の表面に、トレー１の一方の側枠壁１２の裏面を接着部２６に塗布した接着剤により貼り付ける。
【００２２】
次に、図３に示すように、ブランクを折り重ね、他方の側面壁２２の表面に、他方の側枠壁１２の裏面を接着部２６に塗布した接着剤により貼り付けて、嵩張らない折畳状態とし、この状態で商品包装拠点へ配送する。
【００２３】
そして、商品を包装する際には、図４に示すように、底面壁１１から一対の側枠壁１２を起立させ、天面壁２１から一対の側面壁２２を垂下させて立体化し、箱内にスタンディングチューブ入り食品等の商品を収納した後、内端板２４及び端折片１４を内側へ折り曲げて重ね合わせ、外端板１３，２３を上方及び下方へ折り曲げる。
【００２４】
その後、図５に示すように、外端板１３を端折片１４に貼り付けて、トレー１の端枠壁１５を形成すると共に、外端板２３を内端板２４に貼り付けて、箱本体２の端面壁２７を形成すると、封緘が完了する。
【００２５】
このような包装作業に際しては、段ボールの厚さの影響を受けることなく、通常のラップラウンドケースのように、簡単に組み立てて封緘することができ、トレー１と箱本体２とをバランスよく接着し、輸送時の包装強度を確保することができる。
【００２６】
そして、箱の底部から頂部へ及ぶ箱本体２の側面壁２２及び内端板２４において、強度の大きい段目方向が縦方向へ向いているので、優れた耐圧強度を得ることができる。
【００２７】
一方、このような包装展示兼用箱を小売店へ配送し、店頭で商品を展示する際には、図６に示すように、側枠壁１２に覆われることなく露出している押込片２５の上部を、切目線２５ａの繋部の破断に伴い押し込んで、側枠壁１２を外側へ引っ張って撓ませ、接着部２６における側面壁２２と側枠壁１２との接着を剥離させる。
【００２８】
そして、図７に示すように、箱本体２をトレー１から上方へ引き抜いて除去し、図８に示すように、商品Ｇをトレー１から露出させて展示する。
【００２９】
このように、トレー１の側枠壁１２を外側へ引っ張って撓ませるだけで、接着部２６での接着を剥がして、トレー１と箱本体２とを分離することができるので、トレー１に収納した商品Ｇを簡単に展示することができる。
【００３０】
このとき、トレー１の側枠壁１２では、段目方向が横方向へ向いているので、側枠壁１２が中間部で屈曲して折皺ができる現象が防止され、変形のないトレー１により、美観に優れた展示状態とすることができる。
【００３１】
なお、上記実施形態では、稜部が直角となった直方体状の包装展示兼用箱について例示したが、稜部に面取状の傾斜壁を有する包装展示兼用箱や、周壁が六角筒状をなす包装展示兼用箱についても、同様の構成を採用することができる。
【００３２】
また、各側面板２２に１つの押込片２５を設けたものを例示したが、各側面板２２に複数の押込片２５を設けるようにしてもよい。
【００３３】
さらに、押込片２５の両側方に接着部２６を設けたものを例示したが、押込片２５の位置によっては、押込片２５の一側方にのみ接着部２６を設けるようにしてもよい。
【符号の説明】
【００３４】
１  トレー
２  箱本体
１１  底面壁
１２  側枠壁
１３  外端板
１４  端折片
１５  端枠壁
２１  天面壁
２２  側面壁
２３  外端板
２４  内端板
２５  押込片
２５ａ  切目線
２５ｂ  折目線
２６  接着部
２７  端面壁
Ｇ  商品
【図１】
0005657991.tif 000002
【図２】
0005657991.tif 000003
【図３】
0005657991.tif 000004
【図４】
0005657991.tif 000005
【図５】
0005657991.tif 000006
【図６】
0005657991.tif 000007
【図７】
0005657991.tif 000008
【図８】
0005657991.tif 000009
【図９】
0005657991.tif 000010